(57)【要約】      （修正有）【課題】取り扱いやすさを改善する絶縁体を提供する。【解決手段】絶縁体は、各コンタクトホール１２での接続部において、少なくとも１つの保持プレート１５を備える絶縁体下方部分２を有しており、この保持プレートは、軸線方向に延在して、コンタクトホール内へ傾斜した状態で弾力を有している。保持プレートは各コンタクトホール内へのコンタクト３の挿入時に、外側に押され、コンタクトと係合する。保持プレートは、終端部において、内側へ向いている保持突起または別の適切な保持要素６、６’、７、７’を含んでおり、反発弾性においてコンタクトに係合し、軸線方向において、コンタクトを自身の正確な位置に、滑り落ちないように固定する。絶縁体上方部分１の各対応するコンタクトホール１１は、絶縁体上方部分と絶縁体下方部分を完全に継ぎ合わせた後に、半径方向に開かないように保持プレートを閉じる。【選択図】図２
0003225252.tif 000002
【実用新案登録請求の範囲】
【請求項１】
電気的なコネクタ、特に丸形コネクタ用の、軸線方向において前記絶縁体内に挿嵌可能なコンタクト（３）を電気的に絶縁する絶縁体であって、
前記絶縁体は、絶縁体下方部分（２）と絶縁体上方部分（１）を有しており、
前記絶縁体下方部分（２）は、前記コンタクトに接続されるべきワイヤーのための端面側の開口部（２０）と、前記コンタクト（３）を収容するための、軸線方向に延在しているコンタクトホール（１２）を有しており、
前記絶縁体上方部分（１）は、前記絶縁体下方部分（２）と接続可能であり、かつ前記絶縁体下方部分（２）の前記コンタクトホール（１２）に対応するコンタクトホール（１１）と、端面側のコンタクト開口部（８）を有している絶縁体において、
前記絶縁体下方部分（２）は、各コンタクトホール（１２）での接続部において、少なくとも１つの保持プレート（１５）を有しており、前記保持プレートは、軸線方向に延在して、前記コンタクトホール（１２）内へ傾斜した状態で弾力を有しており、前記保持プレートは前記各コンタクトホール（１２）におけるコンタクト（５）の挿入時に、前記コンタクトと係合し、軸線方向における前記コンタクトの正しい位置に、滑り落ちないように固定し、前記絶縁体上方部分（１）の各前記対応するコンタクトホール（１１）は、前記絶縁体上方部分（１）と前記絶縁体下方部分（２）を完全に継ぎ合わせた後に、半径方向に開かないように前記保持プレート（１５）を閉じる、
ことを特徴とする絶縁体。
【請求項２】
前記少なくとも１つの保持プレート（１５）は、自身の端面（１６）で前記コンタクト（５）を軸線方向において固定する、請求項１記載の絶縁体。
【請求項３】
前記少なくとも１つの保持プレート（１５）は、前記コンタクト（５）の半径に相当する半径を有している、請求項１または２記載の絶縁体。
【請求項４】
前記絶縁体上方部分（１）の前記コンタクトホール（１１）は、完全に継ぎ合わせた後に、前記保持プレート（１５）を包囲する、請求項１から３までのいずれか１項記載の絶縁体。
【請求項５】
前記絶縁体下方部分（２）および前記絶縁体上方部分（１）は、軸線方向に配置された係止要素（６，６’，７，７’）を有しており、前記係止要素は、前記絶縁体上方部分（１）と前記絶縁体下方部分（２）の軸線方向での継ぎ合わせ時に、前段係止位置と、最終係止位置を実現し、前記前段係止位置では、前記絶縁体上方部分（１）はまだ完全には前記絶縁体下方部分（２）と継ぎ合わされておらず、前記最終係止位置では、前記絶縁体上方部分（１）は完全に前記絶縁体下方部分（２）と継ぎ合わされている、特に請求項１から４までのいずれか１項記載の絶縁体。
【請求項６】
前記係止要素（６，６’，７，７’）は、前記絶縁体上方部分（１）と前記絶縁体下方部分（２）の外囲に配置されている、請求項５記載の絶縁体。
【請求項７】
前記係止要素（６，６’，７，７’）は、軸線方向において、相互に間隔を空けて配置されている２つの係止突起（７，７’）と係止開口部（６，６’）を有している、請求項６記載の絶縁体。
【請求項８】
前記係止突起（７，７’）は平行する係止ウェブとして形成されており、対応する細長い平行な係止開口部（６，６’）と係合可能である、請求項７記載の絶縁体。
【請求項９】
前記係止ウェブ（７，７’）は前記絶縁体上方部分（１）に取り付けられている、請求項８記載の絶縁体。
【請求項１０】
前記最終係止位置に対して費やされるべき力は、前段係止位置に対する力よりも大きい、請求項５から９までのいずれか１項記載の絶縁体。
【考案の詳細な説明】
【技術分野】
【０００１】
本考案は絶縁体に関し、この絶縁体は、電気的なコネクタ、特に丸形コネクタ用の、軸線方向において絶縁体内に挿嵌可能なコンタクトを電気的に絶縁する絶縁体であり、この絶縁体は、絶縁体下方部分と絶縁体上方部分を有しており、絶縁体下方部分は、コンタクトに接続されるべきワイヤーのための端面側の開口部と、コンタクトを収容するための、軸線方向に延在しているコンタクトホールを有しており、絶縁体上方部分は、絶縁体下方部分と接続可能であり、かつ絶縁体下方部分のコンタクトホールに対応するコンタクトホールと、端面側のコンタクト開口部を有している。
【０００２】
このような絶縁体は既知であり、差し込みプラグまたはソケットの形態のコンタクトを絶縁して、コネクタ部分、特に円形コネクタ内に保持するために使用される。このような既知の絶縁体の欠点は、絶縁体上方部分からの絶縁体下方部分の分離後にさらに、ユーザーがコンタクトを調整し、コンタクトを絶縁体下方部分内に挿嵌し、次に半径方向において不適当にセンタリングされ、落下の傾向があるコンタクトを絶縁体上方部分内に挿入し、絶縁体上方部分と絶縁体下方部分を相互に接続しなければならない、ということである。さらに、工具を用いてしか、２つの絶縁体部分の接続を再び解除することはできない。
【０００３】
したがって本考案の課題は、上述の欠点を克服し、この種の絶縁体の取り扱いやすさを改善することである。
【０００４】
上述の課題は、独立請求項の特徴部分に記載されている構成を有する絶縁体によって解決される。別の有利な構成は従属請求項から明らかである。
【０００５】
これに従うと、本考案の絶縁体は、各コンタクトホールでの接続部において、少なくとも１つの、有利には２つの保持プレートを備える絶縁体下方部分を有しており、この保持プレートは、軸線方向に延在して、コンタクトホール内へ傾斜した状態で弾力を有している。これらの保持プレートは各コンタクトホール内へのコンタクトの挿入時に、外側に押され、コンタクトと係合する。保持プレートはこのために、終端部において、内側へ向いている保持突起または別の適切な保持要素を含んでおり、これによって、反発弾性においてコンタクトに係合し、軸線方向において、コンタクトを自身の正確な位置に、滑り落ちないように固定することができる。絶縁体上方部分の各対応するコンタクトホールは、絶縁体上方部分と絶縁体下方部分を完全に継ぎ合わせた後に、半径方向に開かないように保持プレートを閉じる。これによって、いずれにせよ、接触接続が失われるのが防御され、コンタクトが安定してコンタクトホール内に保持される。
【０００６】
有利には、保持プレートは自身の端面で、コンタクトを軸線方向において固定する。これによって、別の有利な構成では、コンタクトの半径に相応する半径を有する保持プレートが実現される。これによってコンタクトは外囲でも付加的にセンタリングおよび配向される。有利には、保持プレートは自由端部において、アーチ形の肉厚部分を有しており、これはコンタクトのセンタリングも引き継ぐことができる。このようなトレランス補償によって、挿入の互換性が上昇する。有利には、このために、１つのコンタクトホールあたり２つの保持プレートで既に充分である。別の有利な構成では、絶縁体上方部分のコンタクトホールは、完全な継ぎ合わせ後に保持プレートを包囲し、これによって外側へ、半径方向に開くのを阻止する。
【０００７】
したがって、絶縁体の開放時にコンタクトが再び絶縁体下方部分から落下することがないことによって既に、このような構成は既に取り扱いやすさを改善している。
【０００８】
取り扱いやすさをさらに改善するために、本考案の別の特に有利な構成では、絶縁体下方部分および絶縁体上方部分は、軸線方向に配置された係止要素を有しており、これらは、絶縁体上方部分と絶縁体下方部分の軸線方向での継ぎ合わせ時に、前段係止位置と、最終係止位置を実現し、前段係止位置では、絶縁体上方部分はまだ完全には絶縁体下方部分と継ぎ合わされておらず、最終係止位置では、絶縁体上方部分は完全に絶縁体下方部分と継ぎ合わされている。これは、上述した特徴と関連して、前段係止位置では、係止要素はまだ、半径方向に開かないように閉じられておらず、したがって基本的には、力の作用の下で、コンタクトが軸線方向において外へ出てしまうことがある、ということを意味している。しかし、このような構成の特別な利点は、調整が完了したコンタクトが、前段係止位置にあるコンタクト本体に端面で挿入可能であり、これによって、絶縁体部分同士が相互に分離されることはなく、前段係止位置においては相互に接続されているはずであるということであり、これによって調整されたコンタクトとともに絶縁体を完成した状態で、コネクタ部分内への組み入れに対して提供することができる。このために、調整されたコンタクトは端面で絶縁体下方部分内に挿入され、各コンタクトホール内に浮かんで収容される。ここでコンタクトは挿入位置に達した後、保持プレートによって、軸線方向において、滑り落ちないように保護される。それにもかかわらず、装備不備の場合には、絶縁体を開くことなく、修正を行うことができる。これに続いて、絶縁体部分が最終係止位置に移動され、ここで、絶縁体上方部分のコンタクトホールの上述したブロック幾何学的形状によって、保持プレートおよび絶縁体上方部分および絶縁体下方部分の係止要素と組み合わせて、絶縁体上方部と絶縁体下方部分の間に形状結合が実現される。
【０００９】
絶縁体上方部分および絶縁体下方部分の有利な構成では、係止要素は、絶縁体上方部分および絶縁体下方部分の外囲に配置されている。これによって、これらは、外部からアクセス可能であり、工具を用いずに係止の解除が可能である。
【００１０】
さらに、係止要素は、軸線方向において相互に間隔を空けて配置されている２つの係止突起と２つの係止開口部を有している。これらは、前段係止位置と最終係止位置のために設けられている。有利には、係止突起は平行する係止ウェブとして形成されており、これらを、対応する細長い平行する係止開口部に係合させることができ、ここで有利には、係止ウェブは絶縁体上方部分に取り付けられている。
【００１１】
絶縁体を閉じるときに、すなわち完全な継ぎ合わせ時にユーザーに、一義的なフードバックを供給するために、最終係止位置に対して費やされるべき力は、前段係止位置の場合よりも大きい。したがって、前段係止位置と最終係止位置との間に歴然とした力の差が存在する。２つの絶縁体部分を前段係止状態にするのに必要な力は、２つの絶縁体部分を最終係止状態にするのに必要な力よりも格段に小さい。これによって、絶縁体部分を誤って締めることが、継ぎ合わせ力の露骨な上昇（摩擦結合）によって格段に起こりにくくなる。なぜなら事前に触感的なフィードバックがあるからである。
【００１２】
本考案に相応に構成された絶縁体は、絶縁体を分解することなく、かつ工具を使用することなく、調整されたコンタクトを取り付けることおよび取り外すことを可能にする。ここで、絶縁体内に挿入されているコンタクトは、コンタクトホールにおいて係止されており、前段係止位置における取り付け時に落下が防止されており、コネクタ部分のハウジング内への、最終係止位置における絶縁体の挿入によって、絶縁体の保持プレートとハウジングの間の形状結合および摩擦結合が形成される。
【００１３】
本明細書に挙げられた特徴および特徴の組み合わせならびに以降において図面の説明において挙げられる特徴および特徴の組み合わせおよび／または図面においてのみ示される特徴および特徴の組み合わせは、各提示された組み合わせだけにおいて使用可能なのではなく、別の組み合わせにおいても、または単独でも使用可能である。本考案を実行するために、請求項１の全ての特徴が実現されなくてはならないのではなく、独立請求項の個々の特徴が、別の開示されている特徴または特徴の組み合わせによって置き換えられてもよい。実用新案登録請求の範囲、明細書または図面から明らかなすべての特徴および／または利点は、構造的な詳細、空間的な配置およびステップを含めて、単独でも、種々の組み合わせでも本考案の本質を成す。図面では、同じまたは類似の構成部分には同じまたは類似の参照符号が付けられている。以降で説明する図面では、コンタクトはより良い明示のためだけに示されている。本考案自体および保護範囲は、コンタクトの無い絶縁体の構成に関する。
【図面の簡単な説明】
【００１４】
【図１】コンタクトソケットの形態の、図示されたコンタクトの明示のための、絶縁体下方部分および絶縁体上方部分を有する絶縁体の斜視展開図
【図２】図１に示された部分の長手方向断面図
【図３】前段係止位置に挿嵌されているコンタクトを有する絶縁体の長手方向断面図
【図４】最終係止位置に挿嵌されているコンタクトを有する絶縁体の長手方向断面図
【図５】保持プレートを備える絶縁体下方部分の平面図
【００１５】
図１は、本考案の絶縁体を構成する絶縁体上方部分１と絶縁体下方部分２を示している。明示するために、さらに調整されたコンタクト３（ワイヤーなし）が示されており、これは絶縁体下方部分２の端面４から挿入可能である。絶縁体下方部分２は自身の、絶縁体上方部分１の方を向いている終端部に、２つの、外囲に配置されており、かつ軸線方向に延在して、相互に向かい合って配置されている係止クリップ５を有しており、これらは、２つの、細長い、平行した、外周方向において延在している上方の係止開口部６と下方の係止開口部６’を有している。これらの係止開口部６、６’は絶縁体上方部分１の外囲で凹部２１内に配置されている、外周方向に延在している上方の係止ウェブ７と下方の係止ウェブ７’の係合のために用いられる。係止クリップ５は、絶縁体下方部分２と絶縁体上方部分１をともに挿入したとき、絶縁体上方部分１の凹部２１に達する。絶縁体上方部分１の上面には、コンタクト開口部８が見て取れる。コンタクト３は、くびれ部分９と肉厚部分１０を有しており、これらは、絶縁体におけるコンタクト３の収容のために重要である。コンタクト３はワイヤー（ここでは一般的にケーブル、リッツ線等に対する用語）を挿入および接続するための挿入ホール１９を有しており、このような実施例では、コネクターソケット１８を有している。
【００１６】
図２の断面図から、コンタクト３を収容するための、絶縁体上方部分１におけるコンタクトホール１１と絶縁体下方部分２におけるコンタクトホール１２が見て取れる。肉厚部分１０はここで、コンタクト３のさらなる軸線方向の運動に対するストッパー１７を有している、コンタクトホール１１の領域１３に達する。コンタクトホール１１は、自身の、絶縁体下方部分２の方を向いている終端部で、直径拡張部分１４を有している。絶縁体下方部分２におけるコンタクトホール１２は、自身の、絶縁体上方部分１の方を向いている終端部で、それぞれ２つの、弾性を有する保持プレート１５を有している。これらは、コンタクトホール１２において傾斜しており、終端部で肉厚部分１６を有している。これはアーチ状に形成されている。完全に継ぎ合わせられた絶縁体において、直径拡張部分１４は肉厚部分１６と重なり、外側への、半径方向の動きを阻止する。
【００１７】
これは図３および４において明示されている。図３は、前段係止状態にある、コンタクトホール１１およびコンタクトホール１２に挿嵌されているコンタクト３を有する絶縁体上方部分１と絶縁体下方部分２を示している。下方の係止ウェブ７’は、上方の係止開口部６内に存在しており、したがって、コンタクトホール１１の終端部は絶縁体上方部分１において保持プレート１５の上方に位置している。端面４において開口部２０の上方に挿入可能なコンタクト３（この図では、ワイヤー無く、調整されていない）は、絶縁体下方部分２におけるコンタクトホール１２における所望の位置にあり、くびれ部分９への保持プレート１５の肉厚部分１６の係合によって保持される。肉厚部分１０の別の側では、保持プレート１５は、自身の端面側の終端部１６で支持されており、コンタクト３の軸線方向の滑り落ちを阻止している。図４では、絶縁体上方部分１および絶縁体下方部分２は、最終係止状態にある。上方の係止ウェブ７は上方の係止開口部６内に位置し、下方の係止ウェブ７’は下方の係止開口部６’内に位置している。絶縁体上方部分１のコンタクトホール１１は、自身の領域１４で、肉厚部分１６を有する保持プレート１５の上方の終端部を包囲し、これによって、保持プレート１５が外側へ、半径方向に動くのを止める。
【００１８】
図５では、アーチ状の肉厚部分１６を有する保持プレート１５が平面図に示されている。
【符号の説明】
【００１９】
１  絶縁体上方部分
２  絶縁体下方部分
３  コンタクト
４  ２の端面
５  係止クリップ
６，６’  係止開口部
７，７’  係止ウェブ
８  コンタクト開口部
９  くびれ部分
１０  肉厚部分
１１  コンタクトホール
１２  コンタクトホール
１３  領域
１４  直径拡張部分
１５  保持プレート
１６  肉厚部分
１７  ストッパー
１８  コネクターソケット
１９  挿入ホール
２０  開口部
２１  凹部
【図１】
0003225252.tif 000003
【図２】
0003225252.tif 000004
【図３】
0003225252.tif 000005
【図４】
0003225252.tif 000006
【図５】
0003225252.tif 000007